(57)【特許請求の範囲】
【請求項１】
本体と、前記本体の前面側に覆設される扉部と、を備えた電話交換機であって、
前記扉部の上端部から前記扉部の前面側に対して略垂直に延設され形成された上面側延設部と、
前記本体の前面の上端部に前面側に突出して配設され前記上面側延設部が覆設され掛止される扉掛止部と、前記扉掛止部の両端部側の少なくとも２箇所にて前記上面側延設部の下面側に突出して形成された突起部と、
前記突起部と対に前記扉掛止部の上面に上方を開口して前記本体の側部側方向に長尺に形成されて、前記突起部が嵌合し前記扉部を側部側方向に摺動可能に形成された嵌合凹部と、
前記嵌合凹部の一端部において凹部内にて対向する前面側と後面側の壁面間が幅狭に形成された狭着部と、前記扉部の裏面側に前記本体の側部側方向に突出して形成された裏面側突起部と、
前記本体の前面側に前記本体の側面に向かって開口して形成され前記裏面側突起部が嵌合する裏面側突起嵌合部とを備え、
前記突起部を前記嵌合凹部の峡着部でない凹部にて遊嵌させ、前記扉部を前記上面側延設部に掛止した状態から前記突起部を前記嵌合凹部内の前記峡着部方向に摺動することで、前記突起部が前記嵌合凹部の前記峡着部で嵌合し、且つ、前記裏面側突起部が前記裏面側突起嵌合部と嵌合することを特徴とする電話交換機。
【請求項２】
前記上面側延設部の下面側に前記本体に向かって突出して形成された掛止部と、前記扉掛止部の上面に形成され前記本体の前面側に開口して形成され前記掛止部が挿入される挿入孔部と、を備えたことを特徴とする請求項１に記載の電話交換機。
【請求項３】
前記挿入部が前記本体の側部側方向に長尺に形成され、前記掛止部が前記挿入孔部内を摺動可能に形成されたことを特徴とする請求項２に記載の電話交換機。
【請求項４】
前記扉部の下部に前記本体側に突設された嵌入凸部と、前記本体の下部に形成され前記嵌入凸部が嵌入する嵌入溝部と、を備えたことを特徴とする請求項１乃至３の内いずれか１項に記載の電話交換機。
【請求項５】
前記扉部の裏面側に突設された扉側ガイド部と、前記本体の前面側から側面側へ傾斜して形成され前記扉部の装着時に前記扉側ガイド部が当接する傾斜部を有し前記本体に配設された本体側ガイド部と、を備えたことを特徴する請求項１乃至４の内いず
れか１項に記載の電話交換機。
【請求項６】
前記掛止部を前記挿入溝部に挿着し前記扉部を前記本体の前面側に当接させた際に、前記扉側ガイド部と前記本体側ガイド部が水平方向に重ならないように配設されたことを特徴とする請求項５に記載の電話交換機。
【発明の詳細な説明】
【０００１】
【発明の属する技術分野】
本発明は、複数の端末装置を内線通話又は外線通話可能とするための電話交換機に関し、特に扉部を前面側に脱着自在に装着できるようにした電話交換機に関する。
【０００２】
【従来の技術】
近年、特定の事業所内やビル等の建物内等に設置された複数台の電話機をケーブルにより接続し、相互に通話する内線通話や公衆回線等に接続して外線通話を行うための電話交換機が広く用いられている。電話交換機は、ケーブルを介して接続された複数の電話機等の端末装置の中から希望する端末装置を相互に接続して通信を行う内線通話や、希望する端末装置と公衆回線とを接続して通話を行う外線通話等を行う装置である。このような電話交換機としては、端末装置や公衆回線と接続するためのケーブルを接続するための接続コネクタを備えた複数の端末カード（ユニット）を、接続コネクタがケーシングの前面側に配置されるようにケーシング内部に形成された複数の棚に挿設し、ケーシングの内部の背面側に配設されたバックボードに着脱可能に装着し交換や増設を可能としたフリースロット方式の電話交換機が広く用いられている。このようなフリースロット方式の電話交換機は、接続される端末装置の数が増加した場合であっても、端末カードを増設することができるため、別の電話交換機を導入することなく、対応することができるという利点を有している。また、フリースロット方式の外装であるケーシングは、一般的に略直方体形状に形成され、電話機等の各端末装置に接続するための接続用コネクタ等の端子は、各端末カードの前面側に配設されるため、ケーシングの前面側に扉を開閉自在に配設して配線の接続やメンテナンス等を行うことができ利便性及び外観を向上させた構造となっている。
【０００３】
【発明が解決しようとする課題】
また、従来の電話交換機としては、前面側に平面板を螺子止めするものや、前面側に配設された開閉式の扉等を有したものがある。しかしながら、平面板を螺子止めする場合は、複数箇所で螺子止めや取り外しが必要になり、作業が煩雑になるという課題を有していた。一方開閉式の扉の場合は、螺子の取り付け取り外しといった作業の煩雑さはないものの、扉がついたままの状態で作業しなければならず、電話交換機の設置工事の際に扉が邪魔になり作業が煩雑になるという課題を有していた。また、扉を取り外すことができないため接続用コネクタ等の端子に接続された配線を扉側方のヒンジ側から後方へ移動させることが困難であり利便性に欠けるという課題を有していた。
【０００４】
本発明は上記従来の課題を解決するもので、電話交換機の前面側に配設された扉部を容易に取り外して設置工事や配線作業を容易に行うことができる電話交換機を提供することを目的とする。
【０００５】
【課題を解決するための手段】
上記課題を解決するために本発明の電話交換機は、本体と、本体の前面側に覆設される扉部と、を備えた電話交換機であって、扉部の上端部から扉部の前面側に対して略垂直に延設され形成された上面側延設部と、本体の前面の上端部に前面側に突出して配設され上面側延設部が覆設され掛止される扉掛止部と、扉掛止部の両端部側の少なくとも２箇所にて上面側延設部の下面側に突出して形成された突起部と、突起部と対に扉掛止部の上面に上方を開口して本体の側部側方向に長尺に形成されて、突起部が嵌合し扉部を側部側方向に摺動可能に形成された嵌合凹部と、嵌合凹部の一端部において凹部内にて対向する前面側と後面側の壁面間が幅狭に形成された狭着部と、扉部の裏面側に本体の側部側方向に突出して形成された裏面側突起部と、本体の前面側に本体の側面に向かって開口して形成され裏面側突起部が嵌合する裏面側突起嵌合部とを備え、突起部を嵌合凹部の峡着部でない凹部にて遊嵌させ、扉部を上面側延設部に掛止した状態から突起部を嵌合凹部内の峡着部方向に摺動することで、突起部が嵌合凹部の峡着部で嵌合し、且つ、裏面側突起部が裏面側突起嵌合部と嵌合することを特徴としている。
【０００６】
この構成により、電話交換機の前面側に配設された扉部を容易に取り外して設置工事や配線作業を容易に行うことができる電話交換機を提供することができる。
【０００７】
【発明の実施の形態】
本発明の請求項１に記載の電話交換機は、本体と、本体の前面側に覆設される扉部と、を備えた電話交換機であって、扉部の上端部から扉部の前面側に対して略垂直に延設され形成された上面側延設部と、本体の前面の上端部に前面側に突出して配設され上面側延設部が覆設され掛止される扉掛止部と、扉掛止部の両端部側の少なくとも２箇所にて上面側延設部の下面側に突出して形成された突起部と、突起部と対に扉掛止部の上面に上方を開口して本体の側部側方向に長尺に形成されて、突起部が嵌合し扉部を側部側方向に摺動可能に形成された嵌合凹部と、嵌合凹部の一端部において凹部内にて対向する前面側と後面側の壁面間が幅狭に形成された狭着部と、扉部の裏面側に本体の側部側方向に突出して形成された裏面側突起部と、本体の前面側に本体の側面に向かって開口して形成され裏面側突起部が嵌合する裏面側突起嵌合部とを備え、突起部を嵌合凹部の峡着部でない凹部にて遊嵌させ、扉部を上面側延設部に掛止した状態から突起部を嵌合凹部内の峡着部方向に摺動することで、突起部が嵌合凹部の峡着部で嵌合し、且つ、裏面側突起部が裏面側突起嵌合部と嵌合することを特徴としている。この構成により、以下のような作用を有する。
（１）扉部を傾けた状態で突起部を嵌合凹部の峡着部でない凹部に遊嵌しその状態で扉部を回動させて本体の前面側に扉部を吊持して覆設することで、突起部により扉部の前後方向、左右方向及び下方向への移動を制限して扉部を本体に装着することができ、又、扉部を上面側延設部に吊持して掛止した状態から突起部が嵌合凹部内の峡着部方向にスライドさせることで、突起部が嵌合凹部の峡着部で嵌合し、且つ、裏面側突起部が裏面側突起嵌合部と嵌合することによって、扉部の上方向の移動を制限し扉部の本体への固定を更に強化することができ、扉部の取り付け取り外しに工具等を必要とせず容易に扉部の取り付け取り外しを行うことができる。
（２）突起部を本体の側部側方向に対し長尺に形成しているため、前面側に対する引っ掛け面積を広く取ることが出来、又突起部が嵌合凹部内を摺動可能となるように形成されているので、容易に扉部を傾けた状態で突起部を嵌合凹部に遊嵌しその状態で扉部を回動させて本体の前面側に覆設することができる。
【０００８】
ここで、扉部には上面側延設部だけでなくその側面側、下面側にも延設部を設け、扉部を蓋状に形成してもよい。
【０００９】
また、扉掛止部は本体の上面に連設して形成してもよい。
【００１０】
狭着部は嵌合凹部の一端部を突起部が狭着される程度に幅狭に形成される。また、嵌合凹部の一端部側の側面部に嵌合凹部の幅が狭くなるように狭着部をもうけてもよい。
【００１３】
本発明の請求項２に記載の発明は、請求項１に記載の電話交換機であって、前記上面側延設部の下面側に前記本体に向かって突出して形成された掛止部と、前記扉掛止部の上面に形成され前記本体の前面側に開口して形成され前記掛止部が挿入される挿入孔部と、を備えた構成を有している。
【００１４】
この構成により、請求項１の作用に加え、以下のような作用を有する。（１）突起部を嵌合凹部に遊嵌しその状態で扉部を回動させて本体の前面側に覆設する際に、掛止部を挿入孔部に挿入することで、掛止部により扉部の上方への移動を制限して扉部を本体に装着することができ、扉部の本体への固定を更に強化することができる。
【００１５】
ここで、扉掛止部の上面に形成される挿入孔部を本体の前面側に開口させるために、本体の前面側から背面側にかけて挿入溝部を形成してもよい。突起部や掛止部は扉掛止部の上面に複数形成してもよく、少なくとも扉掛止部の両端部側に２つ形成することが好ましい。これにより、扉部を本体に確実に取り付けることができる。
【００１６】
本発明の請求項３に記載の発明は、請求項２に記載の電話交換機であって、前記挿入部が前記本体の側部側方向に長尺に形成され、前記掛止部が前記挿入孔部内を摺動可能に形成された構成を有している。
【００１７】
この構成により、請求項２の作用に加え、以下のような作用を有する。
（１）掛止部を挿入溝部に挿入した状態で摺動可能とすることができ、扉部を本体に対してスライドさせる際、突起部と嵌合凹部との係合した状態を保持することが可能であるため、容易に扉部の取り付け取り外しを行うことができる。
（２）突起部、掛止部を各々嵌合凹部、挿入溝部に嵌合又は挿入した状態で摺動可能とし扉部を本体に対してスライド可能にした場合、突起部、掛止部を各々嵌合凹部、挿入溝部に嵌合又は挿入して扉部を本体に対してスライドさせ、突起部を嵌合凹部の狭着部に狭着することができるので扉部を本体に確実に固定することができる。
【００２０】
本発明の請求項４に記載の発明は、請求項１乃至３の内いずれか１項に記載の電話交換機であって、前記扉部の下部に前記本体側に突設された嵌入凸部と、前記本体の下部に形成され前記嵌入凸部が嵌入する嵌入溝部と、を備えた構成を有する。
【００２１】
この構成により、請求項１乃至３の内いずれか１項の作用に加え、以下のような作用を有する。
（１）突起部、掛止部を各々嵌合凹部、挿入溝部に嵌合又は挿入した状態で摺動可能とし扉部を本体に対してスライド可能にした場合、突起部、掛止部を各々嵌合凹部、挿入溝部に嵌合又は挿入して扉部を本体に対してスライドさせることで、嵌入凸部を嵌入溝部に嵌入させ扉部の下部側を固定することができるので扉部を本体に確実に固定することができる。
【００２２】
本発明の請求項５に記載の発明は、請求項１乃至４の内いずれか１項に記載の電話交換機であって、前記扉部の裏面側に突設された扉側ガイド部と、前記本体の前面側から側面側へ傾斜して形成され前記扉部の装着時に前記扉側ガイド部が当接する傾斜部を有し前記本体に配設された本体側ガイド部と、を備えた構成を有する。
【００２３】
この構成により、請求項１乃至４の内いずれか１項の作用に加え、以下のような作用を有する。
（１）扉部を本体に取り付ける扉部の装着時に、扉側ガイド部が本体側ガイド部の傾斜部に当接しガイドされるので、扉部は本体に近づきながら右側にスライドするため、扉部をスライド前の状態に持っていくことが容易であり扉部の取り付けが容易であるという作用を有する。
【００２４】
本発明の請求項６に記載の発明は、請求項５に記載の電話交換機であって、前記掛止部を前記挿入溝部に挿着し前記扉部を前記本体の前面側に当接させた際に、前記扉側ガイド部と前記本体側ガイド部が水平方向に重ならないように配設された構成を有する。
【００２５】
この構成により、請求項５項の作用に加え、以下のような作用を有する。
（１）扉部の掛止部を挿入溝部に挿着し扉部を本体に近づける際には、扉側ガイド部が本体側ガイド部の傾斜部に当接し、扉部が本体に当接した際には、扉側ガイド部と本体側ガイド部が水平方向に重ならないように、例えば扉側ガイド部が本体側ガイド部の下部に配設され、扉部が本体の前面側においてスライドすることを妨げないので、扉部を容易にスライドさせ本体に装着させることができる。
【００２６】
以下に本発明の一実施の形態について説明する。
【００２７】
（実施の形態１）
図１は本発明の実施の形態１における電話交換機を示す斜視図である。
【００２８】
図１において、１は本実施の形態１における電話交換機、２は内部に基板や配線を有する電話交換機１の本体、３は本体２のケーシング、４はケーシング３の上面の前端部から突出して形成された扉掛止部、５は扉掛止部４の上面に形成された嵌合凹部、６は扉掛止部４の上面に形成され扉掛止部４の上面に本体２の前面側から背面側にかけて形成された挿入溝部、６ａは挿入溝部６の本体２の背面側に形成された挿入孔部、７は本体２の前面側の下部に形成された第１の裏面側突起嵌合部、７ａは本体２の前面側の下部に形成され本体２の側面側から内側に向かって穿設された孔を有する第２の裏面側突起嵌合部、８は本体２の前面側の下部に形成された嵌入溝部、１０は本体２の前面側に装着され、本体内部を保護する扉部、１０ａは扉部１０の上端部から本体２の上面側に延設され形成された上面側延設部、１０ｂは扉部１０の下端部から本体２の下面側に延設され形成された下面側延設部、１１は上面側延設部の下面側に形成され扉部１０の装着時に嵌合凹部５に嵌合する突起部、１２は上面側延設部１０ａの下面側に本体２に向かって突出して形成され扉部１０の装着時に挿入孔部６ａに挿入される掛止部、１３は下面側延設部１０ｂの上面に突設され扉部１０の装着時に裏面側突起嵌合部７に嵌合する裏面側突起部、１３ａは扉部１０の側部内側に内部に向かって突設され扉部１０の装着時に裏面側突起嵌合部７に嵌合する裏面側突起部、１４は下面側延設部１０ｂに本体２に向かって突設され扉部１０の装着時に嵌入溝部８に嵌入される嵌入凸部である。
【００２９】
以上のように構成された本発明の実施の形態１における電話交換機について、その動作を図を用いて説明する。
【００３０】
なお、本実施の形態１においては本体２へ扉部１０を取り付ける動作についてのみ説明し、本体２から扉部１０を取り外す動作については、取り付け動作と逆の手順で行うことができるので説明を省略する。
【００３１】
図２は本発明の実施の形態１における電話交換機の扉部のスライド前を示す一部破断上面図であり、図３は図２のＡ−Ａ線の要部矢視断面図であり、図４は図２のＢ−Ｂ線の要部矢視断面図であり、図５は本発明の実施の形態１における電話交換機の扉部のスライド後の状態を示す一部破断上面図である。
【００３２】
図中、１は電話交換機、２は本体、３はケーシング、４は扉掛止部、５は嵌合凹部、６は挿入溝部、６ａは挿入孔部、１０は扉部、１０ａは上面側延設部、１１は突起部、１２は掛止部であり、これらは図１において説明したものと同様であるので同一の符号を付けて説明を省略する。５ａは嵌合凹部５の一端部において幅狭に形成された狭着部である。
【００３３】
扉部１０を本体２の前面側に取り付ける際には、まず、扉部１０を扉部１０の下部側と本体２の前面下部側との間隔が開くような傾動方向で傾けた状態で突起部１１を嵌合凹部５に挿入する。このとき、図３（ａ）に示すように、突起部１１は嵌合凹部５に挿入されているが、図４（ａ）に示すように、掛止部１２は傾いた状態で挿入溝部６ａに挿入されている。次に、突起部１１を嵌合凹部５に挿入した状態で扉部１０の下部側を本体２の前面側に近づける。このとき、図３（ｂ）に示すように、突起部１１は嵌合凹部５に挿入され、図４（ｂ）に示すように、掛止部１２は挿入溝部６ａに挿入されている。なお、この状態では、図１及び図２に示すように、突起部１１により扉部１０の上部側の前方又は後方への移動を制限し掛止部１２により扉部１０の上部側の上方への移動を制限しているが、扉部１０の下部側は固定されていない。又、突起部１１により扉部１０の左右方向すなわちＣの方向又はその反対方向への移動も所定間隔のみに制限される。但し、図３及び図４に示すように、突起部１１若しくは掛止部１２を軸として所定の回転方向への回転は可能である。
【００３４】
この状態から、扉部１０をＣの方向へスライドさせることにより、裏面側突起部１３、１３ａを裏面側突起嵌合部７、７ａに嵌合させ、嵌入凸部１４を嵌入溝部８に嵌入して、扉部１０の下部側を固定することができる。
【００３５】
また、嵌合凹部５は図５に示すように、Ｃの方向側の一端部に突起部１１が狭着される程度に幅狭に形成された狭着部５ａを有しており、扉部１０をＣの方向へスライドさせることにより、図５に示すように、突起部１１を嵌合凹部５の狭着部５ａに狭着することができる。なお、嵌合凹部５の一端部側の側面部に嵌合凹部の幅が狭くなるように狭着部を設けてもよい。
【００３６】
以上のように本発明の実施の形態１における電話交換機は構成されているので、突起部１１により扉部１０の前方、後方及びＣの方向への移動を制限するとともに、狭着部５ａにより突起部１１若しくは掛止部１２を軸とする回転方向への回転を制限し、更に掛止部１２により扉部１０の上方への移動を制限して扉部１０を本体２に装着することができ、且つ、扉部１０を本体２に容易に取り付け及び取り外すことができ、突起部１１、掛止部１２を各々嵌合凹部５、挿入溝部６に嵌合又は挿入して扉部１０を本体２に対してスライドさせ裏面側突起部１３、１３ａ及び嵌入凸部１４により扉部１０の下部側を本体２に固定して更に扉部１０の固定を強化することができるので、扉部１０を本体２に確実に固定することができるという作用を有する。
【００３７】
ここで、扉部には上面側延設部だけでなくその側面側、下面側にも延設部を設け、扉部を蓋状に形成してもよい。また、扉掛止部は本体の上面に連設して形成してもよい。扉掛止部の上面に形成される挿入孔部を本体の前面側に開口させるために、本体の前面側から背面側にかけて挿入溝部を形成してもよい。
【００３８】
突起部や掛止部は扉掛止部の上面に複数形成してもよく、少なくとも扉掛止部の両端部側に２つ形成することが好ましい。これにより、扉部を本体に確実に取り付けることができる。
【００３９】
（実施の形態２）
図６は、本発明の実施の形態２における電話交換機を示す斜視図である。
【００４０】
図６において、２は本体、３はケーシング、４は扉掛止部、５は嵌合凹部、６は挿入溝部、６ａは挿入孔部、７は第１の裏面側突起嵌合部、７ａは第２の裏面側突起嵌合部、８は本体２の前面側の下部に形成された嵌入溝部、１０は扉部、１０ａは上面側延設部、１１は突起部、１２は掛止部、１３は裏面側突起部、１３ａは裏面側突起部、１４は嵌入凸部であり、これらは図１において説明したものと同様であるので同一の符号を付けて説明を省略する。１ａは本実施の形態２における電話交換機、１５は扉部１０の裏面側から垂直方向に突設された扉側ガイド部、１６は扉掛止部４の一端から本体２に沿って水平に連設され前面右側に傾斜部１６ａを有する本体側ガイド部である。
【００４１】
なお、本実施の形態２の電話交換機は、実施の形態１の電話交換機と同様の構成を有しているが、扉側ガイド部１５と、傾斜部１６ａを有する本体側ガイド部１６とを備えている点で相違している。
【００４２】
以上のように構成された本実施の形態２における電話交換機について以下その動作を図を用いて説明する。
【００４３】
図７は本発明の実施の形態２における電話交換機の扉取り付け構造を上面側から説明する上面説明図であり、図８は本発明の実施の形態２における電話交換機の扉取り付け構造を断面から説明する断面説明図である。
【００４４】
図中、３はケーシング、４は扉掛止部、５は嵌合凹部、６は挿入溝部、６ａは挿入孔部、１０は扉部、１０ａは上面側延設部、１１は突起部、１２は掛止部、１５は扉側ガイド部、１６は本体側ガイド部、１６ａは傾斜部であり、これらは図６において説明したものと同様であるので同一の符号を付けて説明を省略する。なお、図７（ａ）は、扉取り付け時に扉部１０を傾動させて扉側ガイド部１５が本体側ガイド部１６の傾斜部１６ａに当接した状態を示し、図７（ｂ）は、更に扉部１０を傾動させ扉側ガイド部１５が本体側ガイド部１６の傾斜部１６ａ上をスライドする状態を示し、図７（ｃ）は扉側ガイド部１５が本体側ガイド部１６の傾斜部１６ａに当接してスライドし移動した後、扉側ガイド部１５が本体側ガイド部１６よりも下部に位置した状態を示している。また、図８（ａ）は図７（ａ）のＤ−Ｄ線の要部矢視断面図であり、図８（ｂ）は図７（ｂ）のＥ−Ｅ線の要部矢視断面図であり、図８（ｃ）は図７（ｃ）のＦ−Ｆ線の要部矢視断面図である。
【００４５】
まず、扉部１０の掛止部１２を本体２の挿入孔部６ａに挿入しながら、扉部１０の突起部１１を嵌合凹部５に係合させ、扉部１０を傾動させながら本体２に取り付ける。このとき、図７（ａ）及び図８（ａ）に示すように、まず、扉部１０を本体２側に傾動させると、扉側ガイド部１５が本体側ガイド部１６の傾斜部１６ａに当接する。次に、図７（ｂ）及び図８（ｂ）に示すように扉側ガイド部１５は傾斜部１６ａに沿ってガイドされて移動するため、扉部１０は傾動して下部側が本体２に近づきながら右側にスライドする。扉部１０が本体２の前面に装着された状態では、図７（ｃ）及び図８（ｃ）に示すように、扉側ガイド部１５が本体側ガイド部１６の傾斜部１６ａから離れ、扉側ガイド部１５が本体側ガイド部１６の下側に回り込んだ状態となって、扉部１０の突起部１１が本体の嵌合凹部５に挿着され係合する。このようにして、扉側ガイド部１５が本体側ガイド部１６の傾斜部１６ａより右側に位置する場合、すなわち、扉部１０が本体２の前面側に右側にずれた状態で本体２に装着された場合に限り、突起部１１が嵌合凹部５に挿着され係合して扉部１０を本体２に装着できるようにしたので、扉部１０をスライド前の状態に持っていくことが容易であり、特に、扉部１０の掛止部１２の動作範囲が挿入溝部６により制限されているので更に取り付けが容易となる。なお、扉部１０がスライド前の位置にあるときは、扉側ガイド部１５が本体側ガイド部１６よりも下部に位置するため、扉部１０は左方向にスライド可能となる。
【００４６】
以上のように本実施の形態２における電話交換機は、実施の形態１と異なり、扉側ガイド部１５と、傾斜部１６ａを有する本体側ガイド部１６とを備えているので、実施の形態１の作用に加え、扉部１０の掛止部１２を挿入溝部６に係合し、かつ扉側ガイド部１５が本体側ガイド部１６の傾斜部１６ａより右側に位置する場合に限り、突起部１１が嵌合凹部に係合し扉部１０を本体２に装着できるようにしたので、扉部１０をスライド前の状態に持っていくことが容易であり、又扉部１０がスライド前の位置にあるときは、扉側ガイド部１５が本体側ガイド部１６よりも下部に位置するため、扉部１０をＣの方向にスライドさせることができるという作用を有する。
【００４７】
【発明の効果】
以上のように、本発明の電話交換機によれば、以下のような有利な効果が得られる。
【００４８】
本発明の請求項１に記載の発明によれば、以下のような効果を有する。
（１）扉部を傾けた状態で突起部を嵌合凹部の峡着部でない凹部に遊嵌しその状態で扉部を回動させて本体の前面側に扉部を吊持して覆設することで、突起部により扉部の前後方向、左右方向及び下方向への移動を制限して扉部を本体に装着することができ、又、扉部を上面側延設部に吊持して掛止した状態から突起部が嵌合凹部内の峡着部方向にスライドさせることで、突起部が嵌合凹部の峡着部で嵌合し、且つ、裏面側突起部が裏面側突起嵌合部と嵌合することによって、扉部の上方向の移動を制限し扉部の本体への固定を更に強化することができ、扉部の取り付け取り外しに工具等を必要とせず容易に扉部の取り付け取り外しを行うことができる利便性に優れた電話交換機を提供することができる。
（２）突起部を本体の側部側方向に対し長尺に形成しているため、前面側に対する引っ掛け面積を広く取ることが出来、又突起部が嵌合凹部内を摺動可能となるように形成されているので、容易に扉部を傾けた状態で突起部を嵌合凹部に遊嵌しその状態で扉部を回動させて本体の前面側に覆設することができる電話交換機を提供することができる。
【００５０】
本発明の請求項２に記載の発明によれば、請求項１の効果に加え、以下のような効果を有する。
（１）突起部を嵌合凹部に遊嵌しその状態で扉部を回動させて本体の前面側に覆設する際に、掛止部を挿入孔部に挿入することで、掛止部により扉部の上方への移動を制限して扉部を本体に装着することができ、扉部の本体への固定を更に強化することができる安定性に優れた電話交換機を提供することができる。
【００５１】
本発明の請求項３に記載の発明によれば、請求項２の効果に加え、以下のような効果を有する。
（１）掛止部を挿入溝部に挿入した状態で摺動可能とすることができ、扉部を本体に対してスライドさせる際、突起部と嵌合凹部との係合した状態を保持することが可能であるため、容易に扉部の取り付け取り外しを行うことができる利便性に優れた電話交換機を提供することができる。
（２）突起部、掛止部を各々嵌合凹部、挿入溝部に嵌合又は挿入した状態で摺動可能とし扉部を本体に対してスライド可能にした場合、突起部、掛止部を各々嵌合凹部、挿入溝部に嵌合又は挿入して扉部を本体に対してスライドさせ、突起部を嵌合凹部の狭着部に狭着することができるので扉部を本体に確実に固定することができる電話交換機を提供することができる。
【００５３】
本発明の請求項４に記載の発明によれば、請求項１乃至３の内いずれか１項の効果に加え、以下のような効果を有する。
（１）突起部、掛止部を各々嵌合凹部、挿入溝部に嵌合又は挿入した状態で摺動可能とし扉部を本体に対してスライド可能にした場合、突起部、掛止部を各々嵌合凹部、挿入溝部に嵌合又は挿入して扉部を本体に対してスライドさせることで、嵌入凸部を嵌入溝部に嵌入させ扉部の下部側を固定することができるので扉部を本体に確実に固定することができる電話交換機を提供することができる。
【００５４】
本発明の請求項５に記載の発明によれば、請求項１乃至４の内いずれか１項の効果に加え、以下のような効果を有する。
（１）扉部を本体に取り付ける扉部の装着時に、扉側ガイド部が本体側ガイド部の傾斜部に当接しガイドされるので、扉部は本体に近づきながら右側にスライドするため、扉部をスライド前の状態に持っていくことが容易であり扉部の取り付けが容易である利便性に優れた電話交換機を提供することができる。
【００５５】
本発明の請求項６に記載の発明によれば、請求項５の効果に加え、以下のような効果を有する。
（１）扉部の掛止部を挿入溝部に挿着し扉部を本体に近づける際には、扉側ガイド部が本体側ガイド部の傾斜部に当接し、扉部が本体に当接した際には、扉側ガイド部と本体側ガイド部が水平方向に重ならないように、例えば扉側ガイド部が本体側ガイド部の下部に配設され、扉部が本体の前面側においてスライドすることを妨げないので、扉部を容易にスライドさせ本体に装着させることができる電話交換機を提供することができる。
【図面の簡単な説明】
【図１】本発明の実施の形態１における電話交換機を示す斜視図
【図２】本発明の実施の形態１における電話交換機の扉部のスライド前を示す一部破断上面図
【図３】図２のＡ−Ａ線の要部矢視断面図
【図４】図２のＢ−Ｂ線の要部矢視断面図
【図５】本発明の実施の形態１における電話交換機の扉部のスライド後を示す一部破断上面図
【図６】本発明の実施の形態２における電話交換機を示す斜視図
【図７】本発明の実施の形態２における電話交換機の扉取り付け構造を上面側から説明する上面説明図
【図８】本発明の実施の形態２における電話交換機の扉取り付け構造を断面から説明する断面説明図
【符号の説明】
１  電話交換機
２  本体
３  ケーシング
４  扉掛止部
５  嵌合凹部
５ａ  狭着部
６  挿入溝部
６ａ  挿入孔部
７、７ａ  裏面側突起嵌合部
８  嵌入溝部
１０  扉部
１０ａ  上面側延設部
１０ｂ  下面側延設部
１１  突起部
１２  掛止部
１３、１３ａ  裏面側突起部
１４  嵌入凸部
１５  扉側ガイド部
１６  本体側ガイド部
１６ａ  傾斜部
【図１】
0005114819.tif 000002
【図２】
0005114819.tif 000003
【図３】
0005114819.tif 000004
【図４】
0005114819.tif 000005
【図５】
0005114819.tif 000006
【図６】
0005114819.tif 000007
【図７】
0005114819.tif 000008
【図８】
0005114819.tif 000009